(57)【要約】【課題】通気性が良く意匠性に優れたバッグを提供する。【解決手段】バッグ１は、被収容物を収容可能なバッグ本体１０と、バッグ本体１０の背面１５に対向するようにバッグ本体１０に連結されている肩ベルト２０と、バッグ本体１０の背面１５から法線方向に突出する断面形状が長手方向に沿って形成されている本体隆起部３０と、を備える。本体隆起部３０は、長手方向と交差する交差方向に所定間隔で複数設けられている。【選択図】図１
2019042211.tif 000002
【特許請求の範囲】
【請求項１】
被収容物を収容可能なバッグ本体と、
前記バッグ本体の背面に対向するように前記バッグ本体に連結されている肩ベルトと、
前記バッグ本体の前記背面から法線方向に突出する断面形状が長手方向に沿って形成されている隆起部と、
を備え、
前記隆起部は、前記長手方向と交差する交差方向に所定間隔で複数設けられている、
バッグ。
【請求項２】
複数の前記隆起部は、前記背面において互いに隣接するように設けられており、
互いに隣接する前記隆起部の間には、前記長手方向に沿った隙間が形成されている、
請求項１に記載のバッグ。
【請求項３】
複数の前記隆起部は、前記背面の全体に亘って同じ大きさで規則的に形成されている、
請求項２に記載のバッグ。
【請求項４】
複数の前記隆起部は、前記背面の長手方向に沿って設けられた第１隆起部、及び前記背面の短手方向に沿って設けられた第２隆起部の少なくともいずれか一方を含む、
請求項１から３のいずれか１項に記載のバッグ。
【請求項５】
複数の前記隆起部の前記断面形状は、それぞれ半円形状である、
請求項１から４のいずれか１項に記載のバッグ。
【請求項６】
前記隆起部は、
前記隆起部の前記長手方向に沿って設けられている半円筒部と、
前記半円筒部を覆うように設けられ、前記背面に固定されている被覆部と、
を有する、
請求項５に記載のバッグ。
【請求項７】
前記バッグ本体は、前記被収容物を収容する本体部と、前記本体部に対して開閉可能に設けられた蓋部とを有し、
前記肩ベルトの長手方向の一端部は、前記本体部又は前記蓋部に着脱可能に連結されている、
請求項１から６のいずれか１項に記載のバッグ。
【請求項８】
前記肩ベルトの長手方向の一端部は、前記本体部に対して開いた状態でベルトの機能を有する前記蓋部の先端側に、着脱可能に連結されている、
請求項７に記載のバッグ。
【請求項９】
前記肩ベルトの裏面には、前記裏面から法線方向に突出するように形成されたベルト隆起部が、前記肩ベルトの長手方向において互いに隣接するように複数設けられている、
請求項１から８のいずれか１項に記載のバッグ。
【請求項１０】
前記バッグは、前記肩ベルトが二つ設けられたリュックサックである、
請求項１から９のいずれか１項に記載のバッグ。
【発明の詳細な説明】
【技術分野】
【０００１】
本発明は、使用者の肩に掛けて使用するバッグに関する。
【背景技術】
【０００２】
従来、肩ベルトを使用者の肩に掛けて背負うリュックサック等のバッグが利用されている。例えば、下記の特許文献１に記載のリュックサックは、使用者の両肩に掛ける一対の肩紐と、使用者の背中に面する平坦な背当て部を有する。
【先行技術文献】
【特許文献】
【０００３】
【特許文献１】特許４４２６６３８号公報
【発明の概要】
【発明が解決しようとする課題】
【０００４】
しかし、使用者が上記のバッグ（例えばリュックサック）を背負った際には、背当て部が平坦であるため使用者の背中に密着しやすい。このため、背中が汗ばむことになり、使用者に不快感を与える恐れがある。
また、近年、使用者の嗜好が多様化しており、従来のバッグに比べて意匠性に優れたバッグの実現が要請されている。
【０００５】
そこで、本発明はこれらの点に鑑みてなされたものであり、通気性が良く意匠性に優れたバッグを提供することを目的とする。
【課題を解決するための手段】
【０００６】
本発明の一の態様においては、被収容物を収容可能なバッグ本体と、前記バッグ本体の背面に対向するように前記バッグ本体に連結されている肩ベルトと、前記バッグ本体の前記背面から法線方向に突出する断面形状が長手方向に沿って形成されている隆起部と、を備え、前記隆起部は、前記長手方向と交差する交差方向に所定間隔で複数設けられている、バッグを提供する。
【０００７】
また、複数の前記隆起部は、前記背面において互いに隣接するように設けられており、互いに隣接する前記隆起部の間には、前記長手方向に沿った隙間が形成されていることとしてもよい。
【０００８】
また、複数の前記隆起部は、前記背面の全体に亘って同じ大きさで規則的に形成されていることとしてもよい。
【０００９】
また、複数の前記隆起部は、前記背面の長手方向に沿って設けられた第１隆起部、及び前記背面の短手方向に沿って設けられた第２隆起部の少なくともいずれか一方を含むこととしてもよい。
【００１０】
また、複数の前記隆起部の前記断面形状は、それぞれ半円形状であることとしてもよい。
また、前記隆起部は、前記隆起部の前記長手方向に沿って設けられている半円筒部と、前記半円筒部を覆うように設けられ、前記背面に固定されている被覆部と、を有することとしてもよい。
【００１１】
また、前記バッグ本体は、前記被収容物を収容する本体部と、前記本体部に対して開閉可能に設けられた蓋部とを有し、前記肩ベルトの長手方向の一端部は、前記本体部又は前記蓋部に着脱可能に連結されていることとしてもよい。
【００１２】
また、前記肩ベルトの長手方向の一端部は、前記本体部に対して開いた状態でベルトの機能を有する前記蓋部の先端側に、着脱可能に連結されていることとしてもよい。
【００１３】
また、前記肩ベルトの裏面には、前記裏面から法線方向に突出するように形成されたベルト隆起部が、前記肩ベルトの長手方向において互いに隣接するように複数設けられていることとしてもよい。
【００１４】
また、前記バッグは、前記肩ベルトが二つ設けられたリュックサックであることとしてもよい。
【発明の効果】
【００１５】
本発明によれば、通気性が良く意匠性に優れたバッグを提供できるという効果を奏する。
【図面の簡単な説明】
【００１６】
【図１】本発明の一の実施形態に係るバッグ１の構成の一例を示す斜視図である。
【図２】バッグ１の正面図である。
【図３】バッグ１の背面図である。
【図４】バッグ１の平面図である。
【図５】バッグ１の底面図である。
【図６】バッグ１の右側面図である。
【図７】バッグ１の左側面図である。
【図８】肩ベルト２０を蓋部１６に連結した状態を説明するための図である。
【図９】装着カバー５０が装着された状態のバッグ１を示す模式図である。
【図１０】本体隆起部３０の詳細構成の一例を説明するための模式図である。
【図１１】図１０のＡ−Ａ断面図である。
【図１２】本体隆起部の配置の変形例を説明するための模式図である。
【図１３】バッグ１の第１使用形態を説明するための図である。
【図１４】バッグ１の第２使用形態を説明するための図である。
【発明を実施するための形態】
【００１７】
＜バッグの構成＞
本発明の一の実施形態に係るバッグの構成について、図１〜図７を参照しながら説明する。
【００１８】
図１は、一の実施形態に係るバッグ１の構成の一例を示す斜視図である。図２〜図６は、図１に示すバッグ１の六面図である。すなわち、図２はバッグ１の正面図であり、図３はバッグ１の背面図であり、図４はバッグ１の平面図であり、図５はバッグ１の底面図であり、図６はバッグ１の右側面図であり、図７はバッグ１の左側面図である。
【００１９】
バッグ１は、図１に示すように、バッグ本体１０と、肩ベルト２０と、本体隆起部３０と、ベルト隆起部４０とを有する。バッグ１は、ここでは、使用者が背中で背負えるように２つの肩ベルト２０を有するリュックサックである。バッグ１は、詳細は後述するが、複数の形態に変形可能となっており、使用者は、自己の嗜好に合わせて、複数の形態の中から所望の形態に変形して使用する。
【００２０】
バッグ本体１０は、例えば布製であり、被収容物を収容する。バッグ本体１０は、図１に示すように長方体状に形成されている。バッグ本体１０は、本体部１２及び蓋部１６を有する。
【００２１】
本体部１２は、箱状に形成されており、内部に被収容物を収容する。本体部１２の上面１３には、ファスナー１３ａが設けられている。使用者は、ファスナー１３ａを開けて、本体部１２の内部に被収容物を入れたり内部の被収容物を取り出したりする。
【００２２】
蓋部１６は、図１に示すように、本体部１２の上部に本体部１２に対して開閉可能に設けられている。蓋部１６は、閉じた際には本体部１２の上面１３を覆っており、開いた際には上面１３を開放している。蓋部１６の一端側は、本体部１２の背面１５側に固定されており、蓋部１６の他端側は、本体部１２の前面１４側に着脱可能に取り付けられている。また、蓋部１６の一端側には、一対の金具１７が設けられている。
【００２３】
肩ベルト２０は、図１に示すように、バッグ本体１０の背面１５に対向するようにバッグ本体１０に連結されている。肩ベルト２０は、図３に示すように、バッグ本体１０の背面１５の両側に２つ設けられた一組のベルトである。具体的には、一組の肩ベルト２０は、バッグ本体１０の背面１５側にハ字状に配置されている。
【００２４】
一組の肩ベルト２０の長手方向の一端部２１は、図３に示すように、それぞれバッグ本体１０の背面１５の上方に着脱可能に連結されている。一組の肩ベルト２０の長手方向の他端部２２は、それぞれバッグ本体１０の背面１５の下方に固定されている。これにより、使用者は、一組の肩ベルト２０を肩に引っ掛けることで、背中に背負うことになる。
【００２５】
本体隆起部３０は、図１に示すように、バッグ本体１０の背面１５に設けられた隆起部である。本体隆起部３０は、バッグ本体１０の背面１５から法線方向に突出する断面形状を有しており、本体隆起部３０の長手方向は、バッグ１の短手方向に沿っている。そして、本体隆起部３０は、長手方向（バッグ１の短手方向）と交差する方向に所定間隔で複数設けられている。このような本体隆起部３０は、使用者がバッグ１を背負った際に背当て部の機能を有している。これにより、詳細は後述するが、使用者がバッグ１を背負った際に通気性が良く、意匠性に優れたバッグ１を提供できる。
【００２６】
ベルト隆起部４０は、図１に示すように、一組の肩ベルト２０の各々の裏面２３に設けられた隆起部である。ベルト隆起部４０は、裏面２３から法線方向に突出するように形成されている。すなわち、ベルト隆起部４０は、本体隆起部３０と同様に、かまぼこ形状を成している。また、ベルト隆起部４０は、肩ベルト２０の長手方向に隣接するように複数設けられている。ベルト隆起部４０は、使用者がバッグ１を背負った際に使用者の肩に接触するように、設けられている。
【００２７】
バッグ１においては、肩ベルト２０の長手方向の一端部２１が、蓋部１６にも着脱可能に連結される。使用者は、肩ベルト２０の一端部２１を、バッグ本体１０及び蓋部１６のいずれか一方に連結させることで、バッグ１の使用形態を変更できる。
【００２８】
図８は、肩ベルト２０を蓋部１６に連結した状態を説明するための図である。肩ベルト２０の長手方向の一端部２１は、バッグ本体１０の本体部１２に対して開いた状態でベルトの機能を有する蓋部１６の先端側に、着脱可能に連結されている。例えば、一端部２１は、蓋部１６の先端にある金具１７に連結されている。開いた状態の蓋部１６に肩ベルト２０を連結する場合には、肩ベルト２０に加えて蓋部１６もベルトの機能を有する。そして、本実施形態では、肩ベルト２０を蓋部１６の先端に連結した場合には、バッグ１を背負う際に、バッグ本体１０の背面１５が使用者の背下部に接するように位置する。
【００２９】
一方で、肩ベルト２０の一端部２１を開いた状態の蓋部１６に連結された場合には、図８に示すように蓋部１６がバッグ本体１０の上面１３を覆わないため、上面１３が外部に露出される。これに対して、本実施形態では、上面１３を覆うように装着カバーをバッグ本体１０に装着可能となっている。
【００３０】
図９は、装着カバー５０が装着された状態のバッグ１を示す模式図である。装着カバー５０は、バッグ本体１０の上面１３を覆うように、バッグ本体１０の上部に装着されている。例えば、装着カバー５０の一端側が、面ファスナーでバッグ本体１０の上面１３に固定され、装着カバー５０の他端側（例えば金属板が設けられている）が、マグネットが設けられたバッグ本体１０の前面１４に固定されている。これにより、バッグ１の使用中に装着カバー５０が外れることを防止できると共に、装着カバー５０をバッグ本体１０に装着しやすくなる。
【００３１】
＜本体隆起部の詳細構成＞
バッグ１の背面１５に設けられた本体隆起部３０の詳細構成について、前述した図１〜図７に加えて、図１０及び図１１を参照しながら説明する。
【００３２】
図１０は、本体隆起部３０の詳細構成の一例を説明するための模式図である。図１１は、図１０のＡ−Ａ断面図である。なお、図１０には、バッグ１を背面１５の側の構成が示されており、説明の便宜上、肩ベルト２０が省略されている。
【００３３】
本体隆起部３０は、図１０に示すように、バッグ１の長手方向に所定間隔で複数設けられている。具体的には、複数の本体隆起部３０は、バッグ本体１０の背面１５において互いに隣接するように設けられている。複数の本体隆起部３０の各々の長手方向は、バッグ１の短手方向に沿っている（具体的には、バッグ１の短手方向に平行である）。
【００３４】
また、複数の本体隆起部３０は、バッグ本体１０の背面１５の全体に亘って同じ大きさで規則的に形成されている。例えば、本体隆起部３０は、バッグ１の短手方向の一端から他端に亘って設けられている。使用者がバッグ１を背負った際には、複数の本体隆起部３０の先端側が使用者の背中に接し、背面１５が背中に密着しない。
【００３５】
複数の本体隆起部３０は、ここでは所謂かまぼこ形状である（図６参照）。このため、複数の本体隆起部３０の断面形状は、それぞれ半円形状である。本体隆起部３０がかまぼこ形状であるため、隣接する本体隆起部３０の間には、バッグ１の短手方向（本体隆起部３０の長手方向）に沿った隙間が形成されている。使用者がバッグ１を背負った際には、隙間の部分を短手方向に沿って空気が流れるので、通気性を確保できる。また、バッグ１を背追った際に複数の本体隆起部３０が使用者の背中に接することで、衝撃を吸収するクッション性を有することになる。
【００３６】
本体隆起部３０は、図１１に示すように、半円筒部３２と、被覆部３４を有する。複数の本体隆起部３０は、それぞれ同様な構成であるので、以下では一つの本体隆起部３０について説明する。なお、ベルト隆起部４０は、本体隆起部３０の半円筒部３２及び被覆部３４と同様な構成である。
【００３７】
半円筒部３２は、内部が筒状に形成された部分である。半円筒部３２の長手方向は、バッグ１の短手方向（本体隆起部３０の長手方向）に沿っている。半円筒部３２は、例えば、円管を軸方向に沿って半分に切断した部品から成る。これにより、剛性の高い本体隆起部３０を形成できる。
【００３８】
被覆部３４は、半円筒部３２を覆うように設けられている。被覆部３４は、例えば一枚の布から成り、全ての半円筒部３２を覆うように設けられている。被覆部３４は、図１０に示すように半円筒部３２の長手方向の両端面も覆うように、設けられている。また、被覆部３４は、バッグ本体１０の背面１５に固定されている。具体的には、被覆部３４は、図１１に示すように、バッグ１の長手方向において隣接する半円筒部３２の間の位置で、バッグ本体１０の背面１５を形成している芯地１５ａに固定されている。
【００３９】
上記構成の本体隆起部３０は、例えば以下のように形成される。
まず、バッグ１の製造時に、予め半円筒部３２が挿入される空間を形成した状態で被覆部３４をバッグ本体１０の背面１５に固定する。次に、長手方向において所定間隔で位置する前記空間の各々に、半円筒部３２を挿入する。その後、半円筒部３２の長手方向の端面を被覆部３４で覆う。これにより、簡易な方法で、バッグ１の長手方向に隣接する複数の本体隆起部３０を形成できる。
【００４０】
上記では、複数の本体隆起部３０が、図１０に示すようにバッグ１の短手方向に沿うように設けられていることとしたが、これに限定されない。複数の本体隆起部３０は、バッグ本体１０の背面１５の長手方向に沿って設けられた第１隆起部、及び背面１５の短手方向に沿って設けられた第２隆起部の少なくともいずれか一方を含む。これにより、意匠性の高い本体隆起部を形成できる。以下では、図１２を参照しながら、本体隆起部の配置例ついて説明する。
【００４１】
図１２は、本体隆起部の配置の変形例を説明するための模式図である。図１２（ａ）には第１変形例に係る本体隆起部１１０が示され、図１２（ｂ）には第２変形例に係る本体隆起部１２０が示され、図１２（ｃ）には第３変形例に係る本体隆起部１３０が示され、図１２（ｄ）には第４変形例に係る本体隆起部１４０が示されている。本体隆起部１１０、１２０、１３０、１４０の断面形状は、前述した本体隆起部３０の断面形状（図１０参照）と同様である。なお、説明の便宜上、本体隆起部１１０、１２０、１３０、１４０がそれぞれ破線で示されている。
【００４２】
第１変形例の本体隆起部１１０は、図１２（ａ）に示すように、バッグ１の長手方向に沿って複数配置されている。複数の本体隆起部１１０は、バッグ１の短手方向において所定間隔で設けられている。このため、本体隆起部１１０の間に長手方向（すなわち、上下方向）に沿って空隙が形成されることになる。これにより、空気がバッグ１の長手方向に沿って上昇しやすくなるので、通気性が良くなる。
【００４３】
第２変形例の本体隆起部１２０は、図１２（ｂ）に示すように、バッグ１の長手方向に沿った隆起部１２１と、バッグ１の短手方向に沿った隆起部１２２と含む。隆起部１２２はバッグ１の背面１５の中央側に位置しており、隆起部１２１は長手方向において隆起部１２２の両側に位置している。なお、第２変形例においては、隆起部１２１が第１隆起部に該当し、隆起部１２２が第２隆起部に該当する。
【００４４】
第３変形例の本体隆起部１３０は、図１２（ｃ）に示すように、バッグ１の長手方向及び短手方向に対して交差している隆起部１３１及び隆起部１３２を有する。隆起部１３１と隆起部１３２は、対称な向きに設けられている。隆起部１３２はバッグ１の背面の中央側に位置しており、隆起部１３１は長手方向において隆起部１３２の両側に位置している。
【００４５】
第４変形例の本体隆起部１４０は、図１２（ｄ）に示すように、隆起部１４１、隆起部１４２、隆起部１４３及び隆起部１４４を有する。バッグ１の長手方向に沿った隆起部１４１と、バッグ１の短手方向に沿った隆起部１４２は、互いに直交するように配置されている。バッグ１の長手方向及び短手方向に交差している隆起部１４３及び隆起部１４４は、隆起部１４１及び隆起部１４２の周囲に配置されている。
【００４６】
＜バッグの使用形態＞
バッグ１は、肩ベルト２０の一端部２１の連結位置を変更することで、複数の使用形態で利用可能となっている。以下では、バッグ１の使用形態について、図１３及び図１４を参照しながら説明する。
【００４７】
図１３は、バッグ１の第１使用形態を説明するための図である。バッグ１の第１使用形態は、肩ベルト２０の一端部２１が、バッグ本体１０の背面１５の上方に連結された形態である。使用者Ｕが第１使用形態のバッグ１を肩に掛ける場合には、図１３に示すように、バッグ本体１０の背面１５の本体隆起部３０が使用者Ｕの背中に接触する。また、肩ベルト２０のベルト隆起部４０が、使用者Ｕの肩に接触する。
【００４８】
図１４は、バッグ１の第２使用形態を説明するための図である。バッグ２の第２使用形態は、肩ベルト２０の一端部２１が、蓋部１６の先端に連結された形態である。使用者Ｕが第２使用形態のバッグ１を肩に掛ける場合には、第１使用形態に比べて、バッグ本体１０が使用者Ｕの背の下方に位置する。具体的には、図１４に示すように、バッグ本体１０の背面１５の本体隆起部３０が使用者Ｕの背下部に接触し、蓋部１６が使用者Ｕの背上部に接触する。また、肩ベルト２０のベルト隆起部４０が、使用者Ｕの肩に接触する。
なお、バッグ１の第２使用形態の際には、図９に示す装着カバー５０をバッグ本体１０に装着してもよい。
【００４９】
＜本実施形態における効果＞
上述したバッグ１は、肩ベルト２０が連結されるバッグ本体１０の背面１５には、背面１５から突出している複数の本体隆起部３０を有する。そして、複数の本体隆起部３０は、各々の長手方向と交差する交差方向に所定間隔で設けられている。
バッグ本体１０の背面１５に所定間隔で本体隆起部３０を設けることで、バッグ本体１０の背面１５に空気が通過する凹部（隙間）が形成される。これにより、使用者がバッグ１を背負った際に、バッグ本体１０が使用者の背中と密着しなくなると共に、使用者の背中とバッグ本体１０の間で空気が流れやすくなるので、通気性を高めることができる。また、本体隆起部３０を所定間隔で設けることで、従来の平坦な背面に比べて、意匠性を高めることができる。
【００５０】
なお、上記では、バッグ１が二つの肩ベルト２０が設けられたリュックサックであることとしたが、これに限定されない。例えば、バッグ１は、一つの肩ベルト２０を有するショルダーバッグであってもよい。
【００５１】
また、上記では、複数の本体隆起部３０の断面形状が半円形状であることとしたが、これに限定されない。例えば、本体隆起部３０の断面形状が台形形状であってもよい。
また、上記では、複数の本体隆起部３０の断面形状が同一であることとしたが、これに限定されない。例えば、複数の本体隆起部３０は、断面形状が異なる複数の隆起部を含んでもよい。
また、上記では、複数の本体隆起部３０がバッグ本体１０の背面１５の全体に配置されていることとしたが、これに限定されない。例えば、複数の本体隆起部３０が、背面１５の一部（一例として中央部）に配置されていてもよい。
【００５２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５３】
１    バッグ
１０    バッグ本体
１２    本体部
１５    背面
１６    蓋部
２０    肩ベルト
２１    一端部
２３    裏面
３０    本体隆起部
３２    半円筒部
３４    被覆部
４０    ベルト隆起部
５０    装着カバー
１１０、１２０、１３０、１４０    本体隆起部
【図１】
2019042211.tif 000003
【図２】
2019042211.tif 000004
【図３】
2019042211.tif 000005
【図４】
2019042211.tif 000006
【図５】
2019042211.tif 000007
【図６】
2019042211.tif 000008
【図７】
2019042211.tif 000009
【図８】
2019042211.tif 000010
【図９】
2019042211.tif 000011
【図１０】
2019042211.tif 000012
【図１１】
2019042211.tif 000013
【図１２】
2019042211.tif 000014
【図１３】
2019042211.tif 000015
【図１４】
2019042211.tif 000016